(57)【要約】【課題】状況に適した表示時間で情報の表示を行う。【解決手段】情報表示装置１の制御部２０は、情報を特定するための特定情報、推定年齢、推定性別、現在位置、時間帯、および天候等の状況を示す複数のパラメータ、および情報の表示時間を示す時間閾値が関連付けされて生成された統計情報を、ネットワーク上の管理サーバ装置から取得してＨＤＤ１３に記憶しておく。制御部２０は、情報の表示を行う際に、状況を示す複数のパラメータを検出し、このパラメータ等とＨＤＤ１３に記憶されている統計情報とを照合し、ＨＤＤ１３に記憶されている統計情報の中から各パラメータで示される状況に対応する表示時間を示す統計情報を検出する。そして、検出した統計情報の時間閾値で示される表示時間の間、表示部１４に対して情報の表示を行う。【選択図】図２
2014174682.tif 000002
【特許請求の範囲】
【請求項１】
状況を示すパラメータを検出する第１の検出手段と、
前記パラメータで示される状況に対応する、情報の表示時間を示す統計情報を検出する第２の検出手段と、
前記統計情報で示される表示時間の間、表示手段に対して情報の表示を行う表示制御手段と
を備えたことを特徴とする情報表示装置。
【請求項２】
前記パラメータで示される状況毎に、前記情報の表示時間を含む統計情報を記憶する記憶手段をさらに備え、
前記第２の検出手段は、前記パラメータを用いて前記記憶手段を参照することで前記統計情報を検出すること
を特徴とする請求項１に記載の情報表示装置。
【請求項３】
前記パラメータを、ネットワークを介してサーバ装置に送信する送信手段をさらに備え、
前記第２の検出手段は、前記ネットワークを介して前記サーバ装置から返信される、送信された前記パラメータで示される状況から推定される前記統計情報を受信することで、前記統計情報の検出を行うこと
を特徴とする請求項１に記載の情報表示装置。
【請求項４】
前記統計情報で示される表示時間の間、前記表示手段に表示される情報の連続目視時間を計測する計測手段と、
前記連続目視時間で示される、前記情報を目視していた人物の、前記情報に対する興味の有無を示す興味情報を生成する情報生成手段と、
前記情報生成手段で、興味が無いことを示す興味情報が生成された際に、前記情報の表示に用いた統計情報の表示時間を修正する修正手段とをさらに備えたことを特徴とする請求項１から請求項３のうち、いずれか一項に記載の情報表示装置。
【請求項５】
前記統計情報で示される表示時間の間、前記表示手段に表示される情報の連続目視時間を計測する計測手段と、
前記連続目視時間で示される、前記情報を目視していた人物の、前記情報に対する興味の有無を示す興味情報を生成する情報生成手段とを備え、
前記送信手段は、前記興味情報、前記パラメータ、および前記連続目視時間を示す情報を前記ネットワークを介して前記サーバ装置に送信し、
前記サーバ装置は、前記興味情報、前記パラメータ、および前記連続目視時間を示す情報を収集して解析することで、前記パラメータで示される状況毎に推定した統計情報をデータベースに保持し、
前記第２の検出手段は、前記サーバ装置が、前記パラメータで示される状況に対応する統計情報を前記データベースから読み出して返信した統計情報を受信すること
を特徴とする請求項３に記載の情報表示装置。
【請求項６】
前記第２の検出手段は、興味が無いことを示す前記興味情報を受信することで前記サーバ装置が表示時間を修正して送信する統計情報を受信すること
を特徴とする請求項５に記載の情報表示装置。
【請求項７】
コンピュータを、
状況を示すパラメータを検出する第１の検出手段と、
前記パラメータで示される状況に対応する、情報の表示時間を示す統計情報を検出する第２の検出手段と、
前記統計情報で示される表示時間の間、表示手段に対して情報の表示を行う表示制御手段
として機能させるための情報表示プログラム。
【請求項８】
状況を示すパラメータを検出する第１の検出手段と、
前記パラメータで示される状況に対応する、情報の表示時間を示す統計情報を検出する第２の検出手段と、
前記統計情報で示される表示時間の間、表示手段に対して情報の表示を行う表示制御手段と、
前記パラメータを、ネットワークを介してサーバ装置に送信する送信手段とを備えた情報表示装置と、
送信された前記パラメータで示される状況に対応する前記統計情報を、前記ネットワークを介して前記情報表示装置に返信するサーバ装置と
を備えたことを特徴とする情報表示システム。
【発明の詳細な説明】
【技術分野】
【０００１】
本発明は、情報表示装置、情報表示プログラム、および情報表示システムに関する。
【背景技術】
【０００２】
今日において、デジタル・サイネージ（Digital  Signage：電子看板）と呼ばれる広告媒体が知られている。このデジタル・サイネージにおいては、平面ディスプレイ装置またはプロジェクタ装置を用いて広告対象商品等の映像を表示することで、広告対象商品等の広告を行う。このようなデジタル・サイネージは、平面ディスプレイ装置またはプロジェクタ装置を設置する地域の地域性を考慮した視聴者ターゲットに焦点を絞って、広告対象商品等の情報を発信することができる。また、デジタル・サイネージは、ポスターやロール・スクリーン看板のような印刷物の取替えの手間がかからない等の利点がある。
【０００３】
特許文献１(特開２０１２−２２５８９号公報)には、利用者に好適な画面表示を提供することを目的とした商品選択支援方法が開示されている。この商品選択支援方法は、表示画面の前に注視する利用者が居ない場合に、表示画面に複数の商品の画像を、ランダムな配列でスクロールする商品一覧画面を表示する。また、この商品選択支援方法は、利用者が表示画面に近づいて商品一覧画面の特定の商品の画像を注視すると、その注視した商品を含む注視領域を設定し、この注視領域に対応する商品一覧画面を、表示画面の中央部に表示する。さらに、この商品選択支援方法は、表示画面の中央部に表示された注視領域に対応する商品一覧画面の商品画像が注視されると、この注視されている商品画像を強調表示する。
【発明の概要】
【発明が解決しようとする課題】
【０００４】
ここで、商品の広告等のように、利用者に対して情報の伝達を行う場合、情報の表示時間が長すぎても利用者に飽きられてしまう。反対に、情報の表示時間が短い場合、利用者に対して十分に情報の伝達を行うことが困難となる。このため、適切な表示時間で情報の表示を行うことは重要なことである。しかしながら、特許文献１に開示されている商品選択支援方法は、一定時間以上の注視を検出した際に、その注視されている情報の表示形態を変更するに止まる。すなわち、特許文献１に開示されている商品選択支援方法は、注視時間の長さのみで情報の表示制御を行っている。このため、特許文献１に開示されている商品選択支援方法は、より適切な表示時間で情報の表示を行うことは困難となる問題がある。
【０００５】
本発明は、上記に鑑みてなされたものであって、より適切な表示時間で情報の表示を行うことができる情報表示装置、情報表示プログラム、および情報表示システムの提供を目的とする。
【課題を解決するための手段】
【０００６】
上述した課題を解決し、目的を達成するために、本発明は、状況を示すパラメータを検出する第１の検出手段と、パラメータで示される状況に対応する、情報の表示時間を示す統計情報を検出する第２の検出手段と、統計情報で示される表示時間の間、表示手段に対して情報の表示を行う表示制御手段とを備える。
【０００７】
また、本発明は、コンピュータを、状況を示すパラメータを検出する第１の検出手段と、パラメータで示される状況に対応する、情報の表示時間を示す統計情報を検出する第２の検出手段と、統計情報で示される表示時間の間、表示手段に対して情報の表示を行う表示制御手段として機能させる。
【０００８】
また、本発明は、状況を示すパラメータを検出する第１の検出手段と、パラメータで示される状況に対応する、情報の表示時間を示す統計情報を検出する第２の検出手段と、統計情報で示される表示時間の間、表示手段に対して情報の表示を行う表示制御手段と、パラメータを、ネットワークを介してサーバ装置に送信する送信手段とを備えた情報表示装置と、送信されたパラメータで示される状況に対応する統計情報を、ネットワークを介して情報表示装置に返信するサーバ装置とを備える。
【発明の効果】
【０００９】
本発明によれば、より適切な表示時間で情報の表示を行うことができるという効果を奏する。
【図面の簡単な説明】
【００１０】
【図１】図１は、第１の実施の形態の情報表示システムのブロック図である。
【図２】図２は、第１の実施の形態の情報表示システムに設けられている情報表示装置のブロック図である。
【図３】図３は、第１の実施の形態の情報表示システムに設けられている情報表示装置の各機能を示す図である。
【図４】図４は、第１の実施の形態の情報表示システムに設けられる情報表示装置の一例を示す図である。
【図５】図５は、第１の実施の形態の情報表示システムに設けられる情報表示装置の他の例を示す図である。
【図６】図６は、第１の実施の形態の情報表示システムに設けられている情報表示装置の前半の情報表示動作を説明するためのフローチャートである。
【図７】図７は、第１の実施の形態の情報表示システムに設けられている情報表示装置の後半の情報表示動作を説明するためのフローチャートである。
【図８】図８は、第１の実施の形態の情報表示システムに設けられている情報表示装置に表示される情報と、この情報を目視する人物を示す図である。
【図９】図９は、第１の実施の形態の情報表示システムに設けられている情報表示装置における、情報の表示時間を示す時間閾値の設定の仕方を説明するための図である。
【図１０】図１０は、第１の実施の形態の情報表示システムに設けられている情報表示装置における、情報の表示時間を示す時間閾値の他の設定の仕方を説明するための図である。
【図１１】図１１は、第１の実施の形態の情報表示システムに設けられている情報表示装置における、情報の表示時間を示す時間閾値の他の設定の仕方を説明するための図である。
【図１２】図１２は、第１の実施の形態の情報表示システムに設けられている情報表示装置における、情報の表示時間を示す時間閾値のさらに他の設定の仕方を説明するための図である。
【図１３】図１３は、第１の実施の形態の情報表示システムに設けられている情報表示装置において、目視した情報に関連した情報が表示された様子を示す図である。
【図１４】図１４は、第２の実施の形態の情報表示システムのサーバ装置の各機能を示す図である。
【図１５】図１５は、第２の実施の形態の情報表示システムのサーバ装置の動作を説明するためのタイムチャートである。
【発明を実施するための形態】
【００１１】
以下に添付図面を参照して、情報表示装置、情報表示プログラム、および情報表示システムの実施の形態を詳細に説明する。
【００１２】
（第１の実施の形態）
図１は、第１の実施の形態にかかる情報表示システムの構成を示すブロック図である。この情報表示システムは、一つまたは複数の情報表示装置１と、一つまたは複数の管理サーバ装置２と、ネットワーク３と、データベース４とを備える。管理サーバ装置２は、後述する統計情報の収集、解析、配信等の管理を行う。管理サーバ装置２は、収集して解析した統計情報を格納(保持)しておくデータベース(ＤＢ)４を有している。なお、この図１には、三つの情報表示装置１を図示しているが、情報表示装置１を一つ、二つ、または四つ以上設けてもよい。同様に、図１には、一つの管理サーバ装置２を図示しているが、二つ以上の管理サーバ装置２を設けるようにしてもよい。
【００１３】
実施の形態にかかる情報表示システムを一つの施設内で構築する場合、情報表示装置１と管理サーバ装置２とを相互に接続するネットワーク３としては、例えばＬＡＮ(Local  Area  Network)が用いられる。また、実施の形態にかかる情報表示システムを、一つの都市や町程度の地理的範囲で構築する場合、ネットワーク３としては、例えばＭＡＮ(Metropolitan  Area  Network)が用いられる。さらに、実施の形態にかかる情報表示システムを、市街地を越え郊外、県外、国際の範囲等の非常に広い地理的範囲で構築する場合、ネットワーク３として、例えばＷＡＮ(Wide  Area  Network)が用いられる。
【００１４】
図２は、情報表示装置１のブロック図である。この図２に示すように、情報表示装置１は、カメラ部１１と、メモリ１２と、ハード・ディスク・ドライブ１３(ＨＤＤ)と、表示部１４と、プログラムメモリ１５と、通信部１６とを有している。また、情報表示装置１は、ＧＰＳユニット１７(Global  Positioning  System)と、タイマ１８と、操作部１９と、制御部２０とを有している。
【００１５】
カメラ部１１は、主に表示した情報を目視している人物を被写体として撮像する。メモリ１２は、カメラ部１１で撮像された被写体の画像情報を一旦記憶する。また、メモリ１２には、後述する情報表示プログラムの各種機能に対応するプログラムがロードされる。ＨＤＤ１３は、例えば商品の広告画像、説明文、映像等の情報の表示を行うための表示用情報および統計情報等を記憶する。表示部１４は、例えば平面ディスプレイ装置またはプロジェクタ装置等が用いられる。表示部１４は、表示用情報を表示する。プログラムメモリ１５は、より適した時間で情報の表示を可能とする情報表示プログラムを記憶している。
【００１６】
この情報表示装置１で実行されるべく、プログラムメモリ１５に記憶されている情報表示プログラムは、インストール可能な形式または実行可能な形式のファイルでＣＤ−ＲＯＭ、フレキシブルディスク（ＦＤ）、ＣＤ−Ｒ、ＤＶＤ（Digital  Versatile  Disk）、各種ディスク状記憶媒体、半導体メモリ等のコンピュータで読み取り可能な記録媒体に記録されて提供される。
【００１７】
また、情報表示プログラムを、上述のネットワーク３に接続された管理サーバ装置２に格納し、ネットワーク３経由でダウンロードさせて提供する構成としてもよい。また、情報表示プログラムをインターネット等のネットワーク経由で提供または配布するように構成してもよい。また、情報表示プログラムを、ＲＯＭ等に予め組み込んで提供するように構成してもよい。
【００１８】
通信部１６は、管理サーバ装置２から統計情報を取得し、各種パラメータおよび後述する興味情報等を管理サーバ装置２に送信する。ＧＰＳユニット１７は、情報表示装置１の現在位置を検出する。タイマ１８は、後述する連続目視時間等を計時するための計時情報を出力する。操作部１９は、例えば表示部１４に表示された商品の購入操作やアンケートの入力操作等に用いられる。制御部２０は、プログラムメモリ１５から読み込んだ情報表示プログラムに従って、情報の表示制御を行う他、情報表示装置１全体の動作制御を行う。
【００１９】
図３は、情報表示装置１全体で実現される主な機能を示す図である。この図３は、制御部２０が情報表示プログラムを読み込んでソフトウェア的に実行する機能と、一部のハードウェアとしてＨＤＤ１３および通信部１６を図示している。すなわち、図３中、点線で囲んで示すブロックは、制御部２０が情報表示プログラムを読み込んでソフトウェア的に実行する各機能の機能ブロックを示している。また、ＨＤＤ１３(記憶手段の一例)および通信部１６(送信手段の一例)は、ハードウェアのブロックを示している。なお、この図３は、情報表示装置１の構成の一例である。このため、図２および図３に示す一部または全部のハードウェアをソフトウェア的に実現してもよい。また、図２および図３に示す機能ブロックでソフトウェア的に実行される機能をハードウェアで実現してもよい。
【００２０】
この図３に示すように、制御部２０は、情報表示プログラムを読み込んで、撮像制御部３１、パラメータ検出部３２(第１の検出手段の一例)、および表示制御部３３(表示制御手段の一例)として機能する。また、制御部２０は、情報表示プログラムを読み込んで、連続目視時間検出部３４(計測手段の一例)、目視位置検出部３５、および目視情報検出部３６として機能する。また、制御部２０は、情報表示プログラムを読み込んで、統計情報検出部３７(第２の検出手段の一例)、情報生成部３８、時間閾値推定部３９、時間閾値修正部４０、および操作検出部４１として機能する。
【００２１】
撮像制御部３１は、カメラ部１１の撮像制御を行う。パラメータ検出部３２は、カメラ部１１で撮像された被写体の画像情報を解析して人物の顔画像を検出すると共に、この検出した顔画像から、被写体となっている人物の年齢および性別を推定する。また、パラメータ検出部３２は、天候、現在位置、現在時刻、情報を目視していた人物の推定年齢や推定性別等の各種パラメータを検出する。表示制御部３３は、例えば商品、イベントの広告および告知等の情報を表示部１４に表示制御する。連続目視時間検出部３４は、表示部１４に表示されている情報を見ている人物が、その情報を連続的に目視している時間を計測する。
【００２２】
目視位置検出部３５は、表示部１４に表示されている情報を見ている人物の表示画面上の目視位置を検出する。目視情報検出部３６は、表示画面上の目視位置に表示されている情報を検出する。統計情報検出部３７は、管理サーバ装置２から統計情報を取得し、各種パラメータで示される現在の状況に対応する統計情報をＨＤＤ１３から検出する。
【００２３】
情報生成部３８(情報生成手段の一例)は、表示した情報に対する人物の興味の有無を示す興味情報を生成する。時間閾値推定部３９は、各種パラメータで示される現在の状況に適した統計情報を推定する。時間閾値修正部４０(修正手段の一例)は、興味情報と操作部１９の操作状況等に応じて、ＨＤＤ１３に記憶されている統計情報の修正を行う。操作検出部４１は、操作部１９を介して行われた入力操作を検出する。
【００２４】
本実施の形態の情報表示システムに設けられている情報表示装置１で実行される情報表示プログラムは、上述した各部３１〜４１（撮像制御部３１、パラメータ検出部３２、表示制御部３３・・・操作検出部４１）を含むモジュール構成となっている。実際には、ハードウェアとして設けられている制御部２０（ＣＰＵ、プロセッサ）が、プログラムメモリ１５から情報表示プログラムを読み出し、主記憶装置となっているメモリ１２上に各部３１〜４１をロードして適宜実行する。
【００２５】
次に、図４に、路上や屋内に配置されるデジタル・サイネージ装置に情報表示装置１を適用した場合の外観の一例を示す。この図４に示すデジタル・サイネージ装置の場合、あくまでも一例ではあるが、筐体７の正面部７ａに、カメラ部１１、表示部１４、および操作部１９を有している。なお、図２に図示した制御部２０、メモリ１２、ＨＤＤ１３等は、デジタル・サイネージ装置内に収納されているものと理解されたい。表示部１４は、商品の広告等の情報の表示を行う。カメラ部１１は、表示部１４に表示している情報を目視している人物を撮像する。操作部１９は、表示部１４に表示した商品の購入操作およびアンケートに対する回答入力操作等の所定の入力操作用に設けられている。
【００２６】
次に、図５に、据え置き型のパーソナルコンピュータ装置に情報表示装置１を適用した場合の外観の一例を示す。あくまでも一例ではあるが、この図５に示すパーソナルコンピュータ装置の場合、通常のコンピュータ装置を利用したハードウェア構成となっている。具体的には、この図５に示すパーソナルコンピュータ装置の場合、コンピュータ装置本体４９が、ＣＰＵ等の制御部２０と、ＲＯＭ（Read  Only  Memory）およびＲＡＭ(Random  Access  Memory)等のメモリ１２を備えている。また、コンピュータ装置本体４９は、ＨＤＤ１３、図示しないＣＤドライブ装置等の外部記憶装置の他、通信部１６、ＧＰＳユニット１７、およびタイマ１８等を備えている。また、この図５に示すパーソナルコンピュータ装置の場合、表示部１４に相当する例えばディスプレイ装置等の表示装置を備えている。また、図５に示すパーソナルコンピュータ装置は、カメラ部１１に相当する例えば外付けのカメラ装置と、操作部１９に相当する例えばキーボード装置およびマウス装置等の入力装置とを備えている。
【００２７】
この図５に示すパーソナルコンピュータ装置の場合、表示部１４に情報を表示し、カメラ部１１で人物を撮像して、その人物が目視している情報、目視位置、連続目視時間等を検出する。また、この図５に示すパーソナルコンピュータ装置の場合、操作部１９に相当するキーボード装置およびマウス装置等の入力装置を介して、表示されている商品の購入操作およびアンケートの回答の入力操作等の所定の入力操作を行うようになっている。
【００２８】
次に、図６および図７のフローチャートを用いて、情報表示装置１の情報表示動作を説明する。図６は、情報表示装置１の前半の情報表示動作を説明するためのフローチャートである。図７は、情報表示装置１の後半の情報表示動作を説明するためのフローチャートである。制御部２０は、デジタル・サイネージ装置(図４参照)またはパーソナルコンピュータ装置(図５参照)のメイン電源が投入され起動すると、プログラムメモリ１５から情報表示プログラムを読み出す。制御部２０は、読み出した情報表示プログラムを実行することで、撮像制御部３１〜操作検出部４１をメモリ１２上にロードし、図６のフローチャートのステップＳ１から処理を開始する。
【００２９】
ステップＳ１では、統計情報検出部３７が、通信部１６を介して図１に示す管理サーバ装置２にアクセスし、データベース４に記憶されている統計情報を取得してＨＤＤ１３に記憶する。統計情報検出部３７が管理サーバ装置２に対して、統計情報の送信リクエストを送信し、管理サーバ装置２が、この送信リクエストに応答して、データベース４から読み出した統計情報を制御部２０に送信することにより、統計情報を取得してもよい。または、管理サーバ装置２から定期または不定期に配信される統計情報を、統計情報検出部３７が通信部１６を介して取得してもよい。
【００３０】
次に、ステップＳ２では、表示制御部３３が、フロントページに相当する情報(最初に表示すべき情報)をＨＤＤ１３から読み出して表示部１４に表示制御する。例えば、ＨＤＤ１３に記憶されている情報が、所定の商品の広告となる情報である場合、表示制御部３３は、この広告のフロントページに相当する情報をＨＤＤ１３から読み出し、図８に示すように表示部１４に表示制御する。この図８に示す例の場合、表示部１４には、商品画像と共に、商品の概要の文章が表示され、また、商品の詳細な説明の表示を指定するためのボタン８、および現在表示している商品に関連する商品の表示を指定するためのボタン９が表示されている。
【００３１】
次に、ステップＳ３では、撮像制御部３１が、カメラ部１１を介して被写体の撮像制御を開始する。撮像制御部３１は、例えば１秒毎、１／３０秒毎、または１／６０秒毎等の所定時間毎に被写体を撮像するように、カメラ部１１を撮像制御する。カメラ部１１で撮像された被写体の画像情報は、順次、メモリ１２に記憶される。
【００３２】
次に、ステップＳ４では、パラメータ検出部３２が、カメラ部１１で撮像されメモリ１２に順次記憶された被写体の画像毎に人間の顔画像を検出する。一例ではあるが、パラメータ検出部３２は、予め集めておいた顔のデータベース（顔辞書）と、被写体の画像内に存在する、人間の顔と推定される物体の画像とを照合する。パラメータ検出部３２は、まゆ、目、鼻、口等のパーツの位置関係を確認し、その物体が人間の顔の画像であるか否かを判別する。なお、顔認識処理としては、このような手法以外の手法を用いてもよい。
【００３３】
次に、ステップＳ５では、目視位置検出部３５が、ステップＳ４で検出した顔画像毎にその人物の視線を順次検出し、図８に示すように、検出した視線に対応する表示画面上の目視位置Ｐを順次検出する。また、ステップＳ５では、連続目視時間検出部３４が、タイマ１８から供給される計時情報を計時することで、表示画面上の同じ位置に目線が連続的に停止していた時間(連続目視時間)を計測する。
【００３４】
連続目視時間検出部３４は、ステップＳ１０において、計測している連続目視時間が一定時間以上となったか否かを判別する。例えば、図８の例で説明すると、人物の目視位置Ｐは、商品の詳細説明を指定するボタン８の表示位置にある。連続目視時間検出部３４は、ボタン８の表示位置から目視位置Ｐが移動することなく経過した時間(連続目視時間)を計測する。パラメータ検出部３２は、連続目視時間検出部３４が一定時間以上の連続目視時間を計測するまでの間に、ステップＳ６〜ステップＳ９で現在の状況を示す各種パラメータの取得を行う。
【００３５】
すなわち、ステップＳ６では、パラメータ検出部３２が、「ステップＳ４で検出した人間の顔の画像」と、「平均的な特徴を有する、基準となる人間の顔画像を示す基準平均顔画像」とを比較する。そして、パラメータ検出部３２は、検出した顔画像の人物の年齢および性別を推定し、パラメータの一つとして推定年齢情報および推定性別情報を生成する。また、ステップＳ７では、パラメータ検出部３２が、ＧＰＳユニット１７を駆動制御して現在位置を検出し、パラメータの一つとして情報表示装置１の現在位置情報を生成する。
【００３６】
また、ステップＳ８では、パラメータ検出部３２が、タイマ１８で計時されている現在時刻を示す計時情報を取得する。パラメータ検出部３２は、取得した現在時刻が属する時間帯を検出し、例えば午前中の時間帯、午後の時間帯、午前１０時〜午後１２時の時間帯、午後１時から午後３時の時間帯等の時間帯情報を生成する。さらに、ステップＳ９では、パラメータ検出部３２が、例えばネットワーク３上の天候情報を配信しているサーバ装置に対して、現在位置情報を通信部１６を介して送信する。このサーバ装置は、受信した現在位置情報に対応する、現在の天候を示す天候情報を返信する。パラメータ検出部３２は、この返信された天候情報を、パラメータの一つとして取得する。なお、ステップＳ６〜ステップＳ９で検出したパラメータは一例である。このため、パラメータ検出部３２は、これら以外のパラメータを取得してもよい。
【００３７】
次に、このようなパラメータの取得を行っている間に、ステップＳ１０において、連続目視時間検出部３４により、一定時間以上の連続目視時間が計測されると(ステップＳ１０：Ｙｅｓ)、統計情報検出部３７は、以下の処理を行う。すなわち、統計情報検出部３７は、ステップＳ１１において、ＨＤＤ１３に記憶されている統計情報のうち、ステップＳ６〜ステップＳ９で取得した各種パラメータで示される現在の状況に対応する最適な統計情報を検出する。統計情報検出部３７は、検出した統計情報の時間閾値で示される「情報の表示時間」を検出する。
【００３８】
後述するが、この実施の形態にかかる情報表示システムの場合、各情報表示装置１の連続目視時間検出部３４は、表示した情報が連続的に目視された連続目視時間を計測する。また、操作検出部４１は、表示した情報を目視している人物が、操作部１９を介して行った操作を検出する。そして、情報生成部３８は、計測した連続目視時間および検出した操作から、表示した情報に対する、その人物の興味の有無を検出する。制御部２０は、通信部１６を通信制御することで、興味の有無を示す興味情報をネットワーク３上の管理サーバ装置２に送信制御する。また、制御部２０は、通信部１６を通信制御することで、以下の各情報を含む特定情報を、ネットワーク３上の管理サーバ装置２に送信する。すなわち、制御部２０は、ステップＳ１３で検出される情報の連続目視時間のパラメータ、およびステップＳ６〜ステップＳ９で取得した、そのときの状況を示す各種パラメータを含む特定情報を生成する。また、制御部２０は、表示した情報を特定するための識別番号やファイル名等を含む特定情報を生成する。そして、制御部２０は、生成した特定情報を、ネットワーク３上の管理サーバ装置２に送信する。
【００３９】
管理サーバ装置２は、各情報表示装置１からそれぞれ送信される興味情報および各種パラメータ等を収集して解析を行う。ステップＳ６〜ステップＳ９で検出される推定年齢、推定性別、現在位置、時間帯、および天候等の各種パラメータは、その情報を表示していたときの状況を示している。このため、各種パラメータを解析することで、例えば推定年齢３０歳で推定性別が男性の人物が、晴天の天候の下、午前１０時〜午後１２時の時間帯に品川駅前で情報を目視していた等の「状況」を検出することができる。また、後述するステップＳ１３で検出される連続目視時間のパラメータを解析することで、その人物が情報を連続的に目視していた時間を検出することができる。さらに、興味情報を解析することで、各種パラメータで示される状況下で表示した情報に対して、その人物が示した興味の有無を検出することができる。
【００４０】
管理サーバ装置２は、各種パラメータで示される状況毎に、表示された情報に興味を持った人物の人数および表示された情報に興味を持たなかった人物の人数と、各人物の連続目視時間の統計を採る。管理サーバ装置２は、各種パラメータで示される状況下における連続目視時間のうち、統計結果で示される情報の表示時間として最適と推定される連続目視時間に、情報の連続的な表示時間を示す時間閾値を設定する。管理サーバ装置２は、各種パラメータで示される状況毎に、このような時間閾値の設定を行う。そして、管理サーバ装置２は、情報の識別番号またはファイル名等の特定情報と、状況を示す各種パラメータと、設定した時間閾値とを少なくとも関連付けた統計情報を生成し、これをデータベース４に格納する。これにより、データベース４には、状況毎に各情報の表示時間を示す統計情報が格納されることとなる。
【００４１】
管理サーバ装置２は、このデータベース４に格納した状況毎の統計情報を、例えば情報表示装置１からの配信リクエストを受信したタイミング等の所定のタイミングで、情報表示装置１に配信する。情報表示装置１は、管理サーバ装置２から配信された統計情報をＨＤＤ１３に記憶する。
【００４２】
図９に、管理サーバ装置２により生成された統計情報の一例を示す。この図９は、横軸が情報の表示時間を示し、縦軸が人数を示している。そして、この図９に示す実線のグラフは、表示した情報に興味を持った人物の、情報の表示時間と共に推移する人数を示している。また、この図９に示す点線のグラフは、表示した情報に興味を持たなかった人物の、情報の表示時間と共に推移する人数を示している。管理サーバ装置２は、各情報表示装置１から収集した興味情報および連続目視時間のパラメータを用いて、興味を持った人物の人数、および興味を持たなかった人物の人数の統計を状況毎に採りグラフ化する。
【００４３】
この図９に示す例の場合、時刻ｔ１において、表示した情報に対して興味を持ったものと判別された人物の人数が最も多くなる(図９の符号ＨＰを参照)。また、この図９に示す例の場合、時刻ｔ１において、表示した情報に対して興味を持たなかったものと判別された人物の人数が最も少なくなる(図９の符号ＬＰを参照)。このため、管理サーバ装置２は、表示した情報に対して興味を持ったものと判別された人物の人数が最も多くなり、かつ、表示した情報に対して興味を持たなかったものと判別された人物の人数が最も少なくなる時刻ｔ１に時間閾値Ｔｔｈを設定する。なお、この時間閾値Ｔｔｈは、例えば３０秒、１分１０秒等のように、情報を表示する時間の長さを示す値である。
【００４４】
管理サーバ装置２は、例えば年齢、性別、天候、場所、時間帯等の各種パラメータで示される状況毎に、このような時間閾値Ｔｔｈの設定を行う。一例ではあるが、管理サーバ装置２は、例えば「推定年齢が２５歳、推定性別が女性、天候が雨天、時間帯が午後１時〜午後３時」の状況下においては、２５秒の表示時間(＝時間閾値)との統計情報を生成し、これをデータベース４に格納する。同様に、管理サーバ装置２は、例えば「推定年齢が５５歳、推定性別が男性、天候が曇り、時間帯が午後４時〜午後６時」の状況下においては、４５秒の表示時間(＝時間閾値)との統計情報を生成し、これをデータベース４に格納する。
【００４５】
なお、図９に示す例は、表示した情報に対して興味を持ったものと判別された人物の人数が最も多くなり、かつ、表示した情報に対して興味を持たなかったものと判別された人物の人数が最も少なくなる時刻ｔ１に時間閾値Ｔｔｈを設定した例であった。これ以外の時刻に時間閾値Ｔｔｈを設定してもよい。例えば、図１０に示す時刻ｔ１１は、表示した情報に対して興味を持たなかったものと判別された人物の人数が最も少なくなる時刻である(図１０の符号ＬＰを参照)。また、図１０に示す時刻ｔ１３は、表示した情報に対して興味を持ったものと判別された人物の人数が最も多くなる時刻である(図１０の符号ＨＰを参照)。時刻ｔ１１と時刻ｔ１３との中間の時刻ｔ１２に、時間閾値Ｔｔｈを設定してもよい。
【００４６】
また、例えば図１１に示すように、表示した情報に対して興味を持ったものと判別された人物の人数が最も多くなる時刻ｔ２１に時間閾値Ｔｔｈを設定してもよい。さらに、図１２に示す時刻ｔ３１は、表示した情報に対して興味を持たなかったものと判別された人物の人数が最も少なくなる時刻である(図１１の符号ＬＰを参照)。また、図１２に示す時刻ｔ３４は、表示した情報に対して興味を持ったものと判別された人物の人数が最も多くなる時刻である(図１１の符号ＨＰを参照)。時刻ｔ３１と時刻ｔ３４の中間となる時刻ｔ３２よりも時刻ｔ３４寄りとなる時刻ｔ３３に時間閾値Ｔｔｈを設定してもよい。このように、時間閾値Ｔｔｈは、設計等に応じて任意の時刻に設定可能である。
【００４７】
図６のフローチャートの説明に戻り、前述のようにステップＳ１０において、連続目視時間検出部３４により、目視位置Ｐが移動することなく一定時間が経過したことが計測されると(ステップＳ１０：Ｙｅｓ)、時間閾値推定部３９は、ステップＳ１１において、以下の処理を行う。ステップＳ１１では、時間閾値推定部３９が、ステップＳ６〜ステップＳ９で取得した各種パラメータおよび表示を行う情報の特定情報(識別番号やファイル名等)と、管理サーバ装置２から配信され、ＨＤＤ１３に記憶されている複数の統計情報とを照合する。そして、時間閾値推定部３９はステップＳ１１において、ＨＤＤ１３に記憶された複数の統計情報の中から、特定情報および各種パラメータに合致する統計情報を推定する。これにより、時間閾値推定部３９は、各種パラメータで示される現在の状況に対応する表示時間を示す時間閾値Ｔｔｈが設定された統計情報を推定(検出)することとなる。
【００４８】
例えば、ステップＳ６〜ステップＳ９において、推定年齢が４０歳、推定性別が女性、天候が晴天、時間帯が午後８時〜午後１０時の各種パラメータが取得されたとする。時間閾値推定部３９は、これらのパラメータで示される現在の状況に合致する統計情報を、ＨＤＤ１３に記憶されている各統計情報の中から検出して読み出す。この例の場合、「推定年齢が４０歳、推定性別が女性、天候が晴天、時間帯が午後８時〜午後１０時」の状況用の統計情報が、ＨＤＤ１３から読み出されることとなる。
【００４９】
次に、目視位置Ｐが移動することなく、一定時間が経過したということは、その人物は、目視位置Ｐに表示されている情報に興味を持っていることを意味する。このため、ステップＳ１２において、目視情報検出部３６は、一定時間が経過した目視位置Ｐに表示されている情報(＝その人物が目視している情報)を検出する。目視情報検出部３６は、ステップＳ１２において、一定時間以上が経過した目視位置Ｐに表示されている情報に対応する情報(以下、関連情報という)をＨＤＤ１３から読み出す。表示制御部３３は、統計情報の時間閾値Ｔｔｈで示される時間分、関連情報を表示部１４に表示制御する。
【００５０】
具体的には、図８に示す例の場合、ボタン８の表示位置に、人物の目視位置Ｐが位置している。この状態で、一定時間が経過したということは、その人物は、現在、広告を行っている商品の詳細説明を欲していることを意味している。このため、目視情報検出部３６は、現在、広告を行っている商品の詳細説明をＨＤＤ１３から読み出す。表示制御部３３は、商品の詳細説明の情報を、統計情報の時間閾値Ｔｔｈで示される表示時間分、表示部１４に表示制御して、処理を図７のフローチャートのステップＳ１３に進める。
【００５１】
図７のフローチャートのステップＳ１３では、連続目視時間検出部３４が、タイマ１８からの計時情報を計時することで、表示画面上の同じ位置を連続して目視している連続目視時間の計測を開始する。図８を用いて説明したように、表示制御部３３は、例えば商品概要の情報を表示部１４に表示した状態において、表示画面上の同じ位置の目視を一定時間以上計測すると、以下の表示制御を行う。すなわち、表示制御部３３は、現在、表示している情報に対する関連情報として商品の詳細説明の情報を、例えば図１３に示すように表示部１４に表示する。連続目視時間検出部３４は、ステップＳ１３において、関連情報を表示した表示画面上の同じ位置を連続して目視している連続目視時間をタイマ１８からの計時情報を計測することで開始する。
【００５２】
次に、ステップＳ１４では、目視位置検出部３５が、表示画面上の同じ位置に対する連続目視が途切れたか否かを判別する。具体的には、目視位置検出部３５は、順次検出される被写体の顔画像を例えばフレーム毎にマッチング処理することで、前回検出した目視位置と、今回検出した目視位置との一致を検出する。前回検出した目視位置と、今回検出した目視位置とが一致するということは、その人物は表示画面上の同じ位置を目視し続けていることを意味する。この場合(ステップＳ１４：Ｎｏ)、処理は、ステップＳ１５に進む。これに対して、前回検出した目視位置と、今回検出した目視位置とが一致しない(不一致)ということは、その人物は目視位置を移動させたことを意味する。このように連続目視が途切れた場合(ステップＳ１４：Ｙｅｓ)、処理は、ステップＳ１８に進む。
【００５３】
次に、ステップＳ１４で連続目視中と判別されることで進むステップＳ１５では、表示制御部３３が、関連情報の表示を開始してから、時間閾値Ｔｔｈで示される表示時間を経過したか否かを判別する。関連情報の表示を開始してから時間閾値Ｔｔｈで示される表示時間が経過したものと表示制御部３３が判別した場合(Ｙｅｓの場合)、ステップＳ１６に処理が進む。また、関連情報の表示を開始してから時間閾値Ｔｔｈで示される表示時間が経過していないものと表示制御部３３が判別した場合(Ｎｏの場合)、処理はステップＳ１４に戻り、連続目視時間検出部３４が、再度、連続目視が途切れたか否かを判別する。前述のように、時間閾値Ｔｔｈは、各種パラメータから検出される現在の状況に合致した最適な表示時間を示している。表示制御部３３は、ステップＳ１５において、最適な表示時間が経過するまで、目視が連続して行われたか否かを判別している。
【００５４】
ステップＳ１４で連続目視が途切れていないものと判別され、かつ、ステップＳ１５において時間閾値Ｔｔｈで示される表示時間を経過したものと判別されたということは、以下のことを意味する。すなわち、その人物は、情報の表示を行っている間中(＝時間閾値Ｔｔｈで示される表示が終了するまでの間)、終始、情報の目視を行っていたことを意味する。この場合、ステップＳ１６において、操作検出部４１が操作部１９の操作状況を検出することで、例えば表示していた商品の購入操作等の、表示した情報を肯定する操作がなされたか否かを判別する。操作検出部４１により、表示した情報を肯定する操作がなされたものと判別された場合(Ｙｅｓの場合)、処理はステップＳ１７に進む。また、操作検出部４１により、表示した情報を肯定する操作がなされていないものと判別された場合(Ｎｏの場合)、処理はステップＳ２２に進む。
【００５５】
ステップＳ１４において連続目視が途切れていないものと判別される。ステップＳ１５において時間閾値Ｔｔｈで示される表示時間を経過したものと判別される。そして、なおかつ、ステップＳ１６において、表示した情報を肯定する操作がなされたものと判別されたということは、以下のことを意味する。すなわち、その人物は、時間閾値Ｔｔｈで示される表示時間分、表示部１４に表示されている情報を見たうえで、購入操作等の、表示した情報を肯定する操作を行ったことを意味する。この場合、処理がステップＳ１７に進み、それまで表示部１４に表示していた情報を特定するための特定情報(例えば、その情報の識別番号やファイル名等)を、管理サーバ装置２に送信するように、制御部２０が通信部１６を通信制御する。また、表示していた情報に興味を持ったことを示す興味情報を、図１に示すネットワーク３を介して管理サーバ装置２に送信するように、制御部２０が通信部１６を通信制御する。また、ステップＳ５〜ステップＳ９で検出した連続目視時間、推定年齢、推定性別、現在位置、時間帯、および天候等の情報の表示下における状況を示す各種パラメータを、管理サーバ装置２に送信するように、制御部２０が通信部１６を通信制御する。管理サーバ装置２は、各情報表示装置１から配信される興味情報や各種パラメータを解析して、図９〜図１２を用いて説明した状況毎の表示時間を示す時間閾値Ｔｔｈを含む統計情報を生成し、各情報表示装置１に配信することは上述のとおりである。
【００５６】
これに対して、ステップＳ１４において連続目視が途切れていないものと判別される。
ステップＳ１５において時間閾値Ｔｔｈで示される表示時間を経過したものと判別される。なおかつ、ステップＳ１６において、表示した情報を肯定する操作がなされていないものと判別されたということは、以下のことを意味する。すなわち、情報の表示時間を過ぎても肯定する操作がなされていないことから、その人物は、その情報に興味がないことを意味する。この場合、処理がステップＳ２２に進み、それまで表示部１４に表示していた情報を特定するための特定情報と、表示していた情報に興味を持たなかったことを示す興味情報とを管理サーバ装置２に送信するように、制御部２０が通信部１６を通信制御する。また、ステップＳ５〜ステップＳ９で検出した連続目視時間、推定年齢、推定性別、現在位置、時間帯、および天候等の情報の表示下における状況を示す各種パラメータを、管理サーバ装置２に送信するように、制御部２０が通信部１６を通信制御する。
【００５７】
また、情報の表示時間を過ぎても肯定する操作がなされていないということは、時間閾値Ｔｔｈで示される、その情報の表示時間が短かったことを意味する。このため、時間閾値修正部４０は、ステップＳ２３において、表示部１４に表示していた情報の時間閾値Ｔｔｈを所定時間分延長するように、ＨＤＤ１３に記憶されている情報を修正(更新)する。
表示制御部３３は、修正した情報を次回に表示する際には、延長した時間閾値Ｔｔｈで示される表示時間分、情報の表示を行う。
【００５８】
このように、時間閾値Ｔｔｈで示される表示時間分、連続的に情報の目視が行われたが、表示した情報を肯定する操作がなされなかった場合に、ＨＤＤ１３に記憶されている、その情報の時間閾値Ｔｔｈを所定時間分延長修正する。これにより、短かすぎる表示時間を指定することとなっていた時間閾値Ｔｔｈを、長い時間の時間閾値Ｔｔｈとすることができる。このため、その情報の表示時間を、より適した表示時間に修正することができる。
【００５９】
次に、ステップＳ１４で連続目視が途切れたものと判別されることで、処理がステップＳ１８に進むと、表示制御部３３は、関連情報の表示を開始してから、時間閾値Ｔｔｈで示される表示時間を経過したか否かを、タイマ１８からの計時情報を計測して判別する。表示制御部３３により、関連情報の表示を開始してから時間閾値Ｔｔｈで示される表示時間を経過したものと判別された場合(Ｙｅｓの場合)には、処理はステップＳ１６に進む。表示制御部３３により、関連情報の表示を開始してから時間閾値Ｔｔｈで示される表示時間を経過していないものと判別された場合(Ｎｏの場合)には、処理はステップＳ１９に進む。
【００６０】
ステップＳ１４において連続目視が途切れたものと判別される。なおかつ、ステップＳ１８において時間閾値Ｔｔｈで示される表示時間を経過したものと判別されたということは、以下のことを意味する。すなわち、その人物は、情報の表示を行っている間中、終始、情報の目視を行っており、この情報の表示が終了した時点で、連続目視を途切れさせたことを意味する。この場合、その人物は、「表示されている情報に対して興味を持っており、情報の表示時間が短かったために、情報の表示を行っている間中、終始、情報の目視を行ったこと(第１の事象)」が予測される。または、この場合、その人物は、「表示されている情報に対して興味は無く、情報の表示時間が短かったために、情報の表示を行っている間中、終始、情報の目視を行ったこと(第２の事象)」が予測される。制御部２０は、表示した情報を肯定する操作の有無から、第１の事象および第２の事象を判別する。
【００６１】
すなわち、制御部２０は、ステップＳ１４において連続目視が途切れたものと判別し、かつ、ステップＳ１８において時間閾値Ｔｔｈで示される表示時間を経過したものと判別すると、処理をステップＳ１６に進める。制御部２０は、ステップＳ１６において、操作部１９の操作状況を検出し、購入操作等の、表示した情報を肯定する操作がなされたか否かを判別する。そして、制御部２０は、表示した情報を肯定する操作がなされたものと判別した場合には、第１の事象であると判別する。この場合、制御部２０は、ステップＳ１７において、表示していた情報に興味を持ったことを示す興味情報と、各種パラメータ等を、図１に示すネットワーク３を介して管理サーバ装置２に送信するように、通信部１６を通信制御する。
【００６２】
これに対して、ステップＳ１４において連続目視が途切れたものと判別し、かつ、ステップＳ１８において時間閾値Ｔｔｈで示される表示時間を経過したものと判別すると、制御部２０は、処理をステップＳ１６に進める。制御部２０は、ステップＳ１６において、表示した情報を肯定する操作がなされていないものと判別した場合、第２の事象であると判別する。この場合、制御部２０は、ステップＳ２２において、それまで表示部１４に表示していた情報を特定するための特定情報と、表示していた情報に興味を持たなかったことを示す興味情報を、管理サーバ装置２に送信するように、通信部１６を通信制御する。また、制御部２０は、ステップＳ５〜ステップＳ９で検出した連続目視時間、推定年齢、推定性別、現在位置、時間帯、および天候等の情報の表示下における状況を示す各種パラメータを、管理サーバ装置２に送信するように、通信部１６を通信制御する。
【００６３】
また、制御部２０は、ステップＳ２３において、表示部１４に表示していた情報の時間閾値Ｔｔｈを所定時間分延長するように、ＨＤＤ１３に記憶されている情報を修正する。制御部２０は、修正した情報を次回に表示する際、延長した時間閾値Ｔｔｈで示される表示時間分、情報の表示を行う。
【００６４】
次に、ステップＳ１４において連続目視が途切れたものと判別され、かつ、ステップＳ１８において時間閾値Ｔｔｈで示される表示時間を経過していないものと判別されると、制御部２０は、ステップＳ１９に処理を進める。ステップＳ１９において、制御部２０は、操作部１９の操作状況を検出することで、例えば表示していた商品の購入操作等の、表示した情報を肯定する操作がなされたか否かを判別する。制御部２０により、表示した情報を肯定する操作がなされたものと判別された場合(Ｙｅｓの場合)には、処理はステップＳ１７に進む。また、制御部２０により、表示した情報を肯定する操作がなされていないものと判別された場合(Ｎｏの場合)には、処理はステップＳ２０に進む。
【００６５】
ステップＳ１４において連続目視が途切れたものと判別される。ステップＳ１８において時間閾値Ｔｔｈで示される表示時間を経過していないものと判別される。なおかつ、ステップＳ１９において、表示した情報を肯定する操作がなされたものと判別されたということは、以下のことを意味する。すなわち、その人物は、表示部１４に表示されている情報を見て、時間閾値Ｔｔｈで示される表示時間を経過しないうちに、購入操作等の、表示した情報を肯定する操作を行ったことを意味する。この場合、制御部２０は、ステップＳ１７において、それまで表示部１４に表示していた情報を特定するための特定情報と、表示していた情報に興味を持ったことを示す興味情報とを、管理サーバ装置２に送信するように、通信部１６を通信制御する。また、制御部２０は、ステップＳ５〜ステップＳ９で検出した連続目視時間、推定年齢、推定性別、現在位置、時間帯、および天候等の情報の表示下における状況を示す各種パラメータを、管理サーバ装置２に送信するように、通信部１６を通信制御する。
【００６６】
一方、ステップＳ１４において連続目視が途切れたものと判別される。ステップＳ１８において時間閾値Ｔｔｈで示される表示時間を経過していないものと判別される。なおかつ、ステップＳ１９において、表示した情報を肯定する操作がなされていないものと判別されたということは、以下のことを意味する。すなわち、その人物は、時間閾値Ｔｔｈで示される表示時間を経過しないうちに、表示部１４に表示されている情報を見ることを止めたことを意味する。この場合、制御部２０は、ステップＳ２０において、それまで表示部１４に表示していた情報を特定するための特定情報と、表示していた情報に興味を持たなかったことを示す興味情報とを、管理サーバ装置２に送信するように、通信部１６を通信制御する。また、制御部２０は、ステップＳ５〜ステップＳ９で検出した推定年齢、推定性別、現在位置、時間帯、および天候等の情報の表示下における状況を示す各種パラメータを、管理サーバ装置２に送信するように、通信部１６を通信制御する。この場合、処理はステップＳ２１に進む。
【００６７】
時間閾値Ｔｔｈで示される表示時間を経過しないうちに、表示部１４に表示されている情報を見ることを止めたということは、その情報の表示時間が長かったことを意味する。すなわち、時間閾値Ｔｔｈで設定された表示時間が長かったことを意味する。このため、時間閾値修正部４０は、ステップＳ２１において、表示部１４に表示していた情報の時間閾値Ｔｔｈを所定時間分短縮するように、ＨＤＤ１３に記憶されている情報を修正する。制御部２０は、次回の情報表示時には、この短縮するように修正した時間閾値Ｔｔｈで示される表示時間分、情報の表示を行う。
【００６８】
このように、時間閾値Ｔｔｈで示される表示時間を経過しないうちに、表示部１４に表示されている情報の目視を止めたことを検出した際に、ＨＤＤ１３に記憶されている、その情報の時間閾値Ｔｔｈを所定時間分短縮化する。これにより、長すぎる表示時間を指定することとなっていた時間閾値Ｔｔｈを、短い時間の時間閾値Ｔｔｈとすることができる。このため、その情報の表示時間を、より適した表示時間に修正することができる。
【００６９】
ステップＳ１７で興味情報および各種パラメータ等の送信が行われた後、ステップＳ２１で時間閾値Ｔｔｈが短縮修正された後、ステップＳ２３で時間閾値Ｔｔｈが延長修正された後、処理は、図６のフローチャートのステップＳ２に戻る。これにより、例えば管理者等により、情報の表示停止操作がなされるまでの間、情報表示装置１の制御部２０は、上述の各ステップの処理を繰り返し実行することとなる。
【００７０】
以上の説明から明らかなように、第１の実施の形態にかかる情報表示システムは、情報表示装置１の制御部２０が、情報を特定するための特定情報を、ネットワーク３上の管理サーバ装置２から所定のタイミングで取得してＨＤＤ１３に記憶しておく。また、情報表示システムは、推定年齢、推定性別、現在位置、時間帯、および天候等の状況を示す複数のパラメータを、管理サーバ装置２から所定のタイミングで取得してＨＤＤ１３に記憶しておく。また、情報表示システムは、情報の表示時間を示す時間閾値Ｔｔｈが関連付けされて生成された統計情報を、管理サーバ装置２から所定のタイミングで取得してＨＤＤ１３に記憶しておく。
【００７１】
また、情報表示装置１の制御部２０は、情報の表示を行う際に、推定年齢、推定性別、現在位置、時間帯、および天候等の現在の状況を示す複数のパラメータを検出する。制御部２０は、検出したパラメータおよび表示を行う情報の識別番号またはファイル名等の特定情報と、ＨＤＤ１３に記憶されている統計情報とを照合する。そして、情報表示装置１の制御部２０は、検出した各パラメータで示される現在の状況に対応する表示時間を示す時間閾値の統計情報を、ＨＤＤ１３に記憶されている統計情報の中から検出する。制御部２０は、検出した統計情報の時間閾値で示される表示時間分、表示部１４に対して情報の表示を行う。これにより、情報の表示を行う現在の状況に最適な表示時間で情報の表示を行うことができる。また、推定年齢および推定性別等の人物情報も含めた複数のパラメータを使用することで、生成される統計情報を有効な情報とすることができる。
【００７２】
また、この情報の表示を行っている間、情報表示装置１の制御部２０は、タイマ１８からの計時情報を計時することで、表示している情報を連続的に目視していた連続目視時間を計測する。情報表示装置１の制御部２０は、「計測した連続目視時間」、および情報を目視していた人物が操作部１９を介して行う「表示した情報を肯定する操作」から、表示していた情報に対するその人物の興味の有無を検出する。そして、制御部２０は、情報を目視していた人物が、表示していた情報に興味が無いものと判別した際に、ＨＤＤ１３の統計情報のうち、表示していた情報の表示時間を示す統計情報の時間閾値Ｔｔｈを、情報の表示時間が短縮または延長されるように修正する。これにより、第１の実施の形態にかかる情報表示システムは、表示した情報を目視した人物の反応(興味の有無)に応じて、情報の表示時間を変更することができる。また、情報表示システムは、より最適な表示時間で情報の表示を行うことを可能とすることができる。
【００７３】
また、情報表示装置１の制御部２０は、表示部１４に表示した情報の特定情報、情報に対する興味の有無を示す興味情報、現在の状況を示す複数のパラメータ、および連続目視時間を示す情報を、通信部１６を介して管理サーバ装置２に送信制御する。管理サーバ装置２は、各情報表示装置１から送信された興味情報や各種パラメータを解析して、各種パラメータで示される状況毎の表示時間を示す時間閾値Ｔｔｈを示す統計情報を生成し、各情報表示装置１に配信する。第１の実施の形態にかかる情報表示システムは、ネットワーク３上で管理サーバ装置２が各情報表示装置１からの各種パラメータ等の情報を収集する構成となっているため、様々な状況(条件)における統計情報の収集を可能とすることができる。このため、第１の実施の形態にかかる情報表示システムは、より最適な表示時間の統計情報を生成することができる。
【００７４】
（第２の実施の形態）
次に、第２の実施の形態にかかる情報表示システムの説明をする。第１の実施の形態にかかる情報表示システムは、概略的に以下の動作を示すものであった。各情報表示装置１の制御部２０は、管理サーバ装置２から配信された状況毎の表示時間を示す統計情報をＨＤＤ１３に記憶しておく。制御部２０は、各種パラメータで示される現在の状況に対応する統計情報を、ＨＤＤ１３に記憶された統計情報の中から推定して情報の表示に用いる。第２の実施の形態にかかる情報表示システムは、概略的に以下の動作を示すものである。第２の実施の形態にかかる情報表示システムの情報表示装置は、現在の状況を示す各種パラメータ等を管理サーバ装置に送信する。管理サーバ装置は、情報表示装置から受信した現在の状況を示す各種パラメータから推定される統計情報を、情報表示装置に返信する。情報表示装置は、管理サーバ装置から返信された統計情報で示される表示時間分、情報の表示を行う。以下、第２の情報表示装置の情報表示システムの説明としては、第１の情報表示システムとの差異の説明のみ行う。
【００７５】
図１４に、第２の実施の形態にかかる情報表示システムの管理サーバ装置５５の各機能を示す。この図１４に示すように管理サーバ装置５５は、制御部５０と、データベース４(ＤＢ)と、通信部５４とを有している。制御部５０は、管理サーバプログラムを読み込むことで、パラメータ解析部５１、時間閾値推定部５２、時間閾値修正部５３として機能するようになっている。なお、この図１４には、パラメータ解析部５１、時間閾値推定部５２、時間閾値修正部５３は、制御部５０が管理サーバプログラムを読み込んでソフトウェア的に実現する機能ブロックとして図示されている。また、通信部５４は、ハードウェアとして図示されている。しかし、これら全部または一部をソフトウェアで実現してもよい。または、これら全部または一部をハードウェアで実現してもよい。
【００７６】
パラメータ解析部５１は、各情報表示装置から収集された各種パラメータや興味情報等を解析する。この解析結果となる統計情報は、第１の実施の形態の情報表示システムと同じく、状況毎にデータベース４に記憶される。時間閾値推定部５２は、情報表示装置から受信した現在の状況を示す各種パラメータ等で示される現在の状況に適した統計情報を、データベース４から検索する。時間閾値修正部５３は、表示された情報を見た人物が操作部１９を介して行った操作等に応じてデータベース４の統計情報を修正する。また、制御部５０は、各情報表示装置から各種パラメータおよび興味情報等を収集するように通信部５４を通信制御する。また、制御部５０は、情報表示装置から受信した現在の状況を示すパラメータ等に対応する統計情報を情報表示装置に返信するように通信部５４を通信制御する。
【００７７】
図１５は、第２の実施の形態にかかる情報表示システムの情報表示装置６０および管理サーバ装置５５の間の通信の流れを示すタイムチャートである。この図１５において、情報表示装置６０は、図７のフローチャートのステップＳ１７、ステップＳ２０、ステップＳ２２で説明した情報を管理サーバ装置５５に送信する。詳しくは、情報表示装置６０は、表示した情報に対する興味の有無を示す興味情報を管理サーバ装置５５に送信する。また、情報表示装置６０は、情報を表示した際の状況を示す各種パラメータ(連続目視時間、推定年齢、推定性別、現在位置、時間帯、天候等)を管理サーバ装置５５に送信する。また、情報表示装置６０は、表示した情報を特定するための特定情報を管理サーバ装置５５に送信する。
【００７８】
管理サーバ装置５５のパラメータ解析部５１は、ステップＳ３２において、情報表示装置６０から受信した各種パラメータ等を収集して解析する。管理サーバ装置５５の時間閾値推定部５２は、ステップＳ３３において、図９〜図１２を用いて説明したように、解析結果から時間閾値Ｔｔｈ(情報の表示時間)を推定する。時間閾値推定部５２は、推定した時間閾値を含む統計情報をデータベース４に記憶する。これにより、データベース４には、情報を表示した状況毎に統計情報が記憶されることとなる。
【００７９】
次に、情報表示装置６０は、情報の表示を行う際に、ステップＳ３５に示すように、表示する情報を特定するための識別番号、ファイル名等の特定情報、現在の状況を示す各種パラメータ等を管理サーバ装置５５に送信する。情報表示装置６０の制御部５０は、現在の状況を示す各種パラメータとして、表示する情報を見せようとしている人物(現在、カメラ部１１で撮像されている人物)の推定年齢を示す情報、推定性別を示す情報を送信する。また、制御部５０は、ＧＰＳユニット１７で検出された情報表示装置６０の現在位置を示す情報、タイマ１８で検出された、現在時刻が属する時間帯を示す情報を管理サーバ装置５５に送信する。また、制御部５０は、所定のネットワーク上のサーバ装置から取得した、情報表示装置６０の現在位置の天候を示す情報を管理サーバ装置５５に送信する。
【００８０】
管理サーバ装置５５の制御部５０は、情報表示装置６０から特定情報、現在の状況を示す各種パラメータ等を受信すると、データベース４に記憶された統計情報の中から、受信した特定情報に対応する、状況毎の統計情報を検索する。また、検索した状況毎の統計情報の中から、受信した各種パラメータで示される状況に合致する状況の統計情報を検索する。制御部５０は、検索した統計情報を、ステップＳ３６に示すように情報表示装置６０に返信する。情報表示装置６０は、ステップＳ３７に示すように、受信した統計情報に含まれる時間閾値で示される時間分、情報の表示を行う。
【００８１】
すなわち、第１の実施の形態の情報表示システムの場合、状況毎の統計情報を管理サーバ装置２から取得してＨＤＤ１３に記憶しておき、現在の状況に合致する統計情報をＨＤＤ１３から検索して情報の表示に用いる。これに対して、第２の実施の形態の情報表示システムの場合、情報表示装置６０から現在の状況を示すパラメータを管理サーバ装置５５に送信する。管理サーバ装置５５は、情報表示装置６０の現在の状況に対応する表示時間を示す統計情報をデータベース４から検索して情報表示装置６０に返信する。情報表示装置６０は、管理サーバ装置５５から返信された統計情報で示される時間分、情報の表示を行う。この第２の実施の形態の情報表示システムの場合、ＨＤＤ１３に状況毎の統計情報を記憶しておく必要がないため、ＨＤＤ１３の記憶領域を他の情報処理に有効に活用可能とすることができる。
【００８２】
次に、情報表示装置６０は、ステップＳ３７で表示した情報に対する人物の連続目視時間を計測すると共に、人物が操作部１９を介して行った操作を検出する。情報表示装置６０は、図７のステップＳ１７、ステップＳ２０、ステップＳ２２で説明したように、計測した連続目視時間、人物が操作部１９を介して行った、例えば表示していた商品の購入操作等から、表示した情報に対する人物の興味の有無を示す興味情報を生成する。また、情報表示装置６０は、情報を表示した状況を示す、推定年齢、推定性別、現在位置、時間帯、天候等の各種パラメータを検出する。そして、情報表示装置６０は、ステップＳ３８に示すように、表示した情報を特定するための特定情報を管理サーバ装置５５に送信する。また、情報表示装置６０は、表示した情報を見た人物の連続目視時間、情報を表示した状況を示す各種パラメータ(推定年齢、推定性別、現在位置、時間帯、天候等)を管理サーバ装置５５に送信する。また、情報表示装置６０は、興味情報を管理サーバ装置５５に送信する。
【００８３】
管理サーバ装置５５は、ステップＳ３９において、連続目視時間および興味情報等から、図７のステップＳ２０およびステップＳ２２で説明したように、時間閾値を短縮または延長するようにデータベース４の統計情報を修正する。具体的には、管理サーバ装置５５の時間閾値修正部５３は、時間閾値で示される表示時間よりも連続目視時間が短く、かつ、情報に対して興味が無いことを示す興味情報である場合、時間閾値を所定時間分、短縮するようにデータベース４の統計情報を修正する。また、時間閾値修正部５３は、時間閾値で示される表示時間よりも連続目視時間が長いのであるが、興味情報が情報に対して興味が無いことを示している場合、統計情報の時間閾値を所定時間分、延長するようにデータベース４に記憶されている統計情報を修正する。
【００８４】
この修正された統計情報は、ステップＳ４０に示すように、次回、情報表示装置６０から現在の状況を示す各種パラメータ等が送信された際に、ステップＳ４１に示すようにデータベース４から読み出されて情報表示装置６０に返信される。そして、ステップＳ４２に示すように、修正された統計情報は、情報表示装置６０において、情報の表示に用いられる。このように、データベース４に記憶されている統計情報の修正を行うことで、統計情報に含まれる時間閾値を、より適した表示時間を示す時間閾値に修正することができる。
【００８５】
以上の説明から明らかなように、第２の実施の形態の情報表示システムは、情報表示装置６０から管理サーバ装置５５に対して、現在の状況を示す各種パラメータ等を送信する。管理サーバ装置５５は、情報表示装置６０から受信した現在の状況を示す各種パラメータから推定される統計情報を、情報表示装置６０に返信する。情報表示装置６０は、管理サーバ装置５５から返信された統計情報で示される表示時間分、情報の表示を行う。これにより、情報表示装置６０のＨＤＤ１３等に、管理サーバ装置５５から取得した統計情報を記憶しておかなくてもよい。このため、ＨＤＤ１３の記憶領域を他の情報処理に有効活用することができる他、上述の第１の実施の形態の情報表示システムと同様の効果を得ることができる。
【００８６】
上述の各実施の形態の説明では、情報表示装置１または情報表示装置６０は、管理サーバ装置２または管理サーバ装置５５からネットワーク３を介してダウンロードすることで統計情報を取得することとした。しかし、統計情報をインストール可能な形式または実行可能な形式のファイルで、ＣＤ−ＲＯＭ、フレキシブルディスク（ＦＤ）、ＣＤ−Ｒ、ＤＶＤ（Digital  Versatile  Disk）、各種ディスク状記憶媒体、半導体メモリ等のコンピュータで読み取り可能な記録媒体から取得してもよい。また、上述の各実施の形態の説明では、パラメータとして、連続目視時間、推定年齢、推定性別、天候、時間帯をパラメータとして検出することとしたが、この他のパラメータを用いるようにしてもよい。
【００８７】
なお、上記には、各実施の形態を説明したが、各実施の形態は、例として提示したものであり、発明の範囲を限定することは意図していない。この新規な各実施の形態は、その他の様々な形態で実施されることが可能であり、発明の要旨を逸脱しない範囲で、種々の省略、置き換え、変更を行うことができる。この各実施の形態やその変形は、発明の範囲や要旨に含まれると共に、特許請求の範囲に記載された発明とその均等の範囲に含まれる。
【符号の説明】
【００８８】
１  情報表示装置
２  管理サーバ装置
３  ネットワーク
４  データベース(ＤＢ)
７  デジタル・サイネージ装置の筐体
７ａ  デジタル・サイネージ装置の筐体の正面部
８  ボタン
９  ボタン
１１  カメラ部
１２  メモリ
１３  ハード・ディスク・ドライブ(ＨＤＤ)
１４  表示部
１５  プログラムメモリ
１６  通信部
１７  ＧＰＳユニット(Global  Positioning  System)
１８  タイマ
１９  操作部
２０  制御部
３１  撮像制御部
３２  パラメータ検出部
３３  表示制御部
３４  連続目視時間検出部
３５  目視位置検出部
３６  目視情報検出部
３７  統計情報検出部
３８  情報生成部
３９  時間閾値推定部
４０  時間閾値修正部
４１  操作検出部
４９  コンピュータ装置本体
５０  制御部
５１  パラメータ解析部
５２  時間閾値推定部
５３  時間閾値修正部
５５  管理サーバ装置
６０  情報表示装置
【先行技術文献】
【特許文献】
【００８９】
【特許文献１】特開２０１２−２２５８９号公報
【図１】
2014174682.tif 000003
【図２】
2014174682.tif 000004
【図３】
2014174682.tif 000005
【図４】
2014174682.tif 000006
【図５】
2014174682.tif 000007
【図６】
2014174682.tif 000008
【図７】
2014174682.tif 000009
【図８】
2014174682.tif 000010
【図９】
2014174682.tif 000011
【図１０】
2014174682.tif 000012
【図１１】
2014174682.tif 000013
【図１２】
2014174682.tif 000014
【図１３】
2014174682.tif 000015
【図１４】
2014174682.tif 000016
【図１５】
2014174682.tif 000017